(57)【要約】【課題】利用者の経済状態を容易に健全な状態に保つことができ、金融機関も利用者の債務超過等で不利益を被ることを回避でき、遊技ホールも金融機関から遊技媒体の貸出料を確実に回収し得るようにすることにある。【解決手段】登録した利用者Ｍの携帯電話機３から所定支払金額の口座支払申込みを示す情報を受取ると所定の与信機関に前記利用者の与信を依頼する通信を行う与信依頼部１ａと、前記所定の与信機関から与信を受けた所定の金融機関から前記利用者の口座から前記所定支払金額を引落とす旨の情報を受取ると所定の引落し情報を前記携帯電話機に配信し、前記金融機関から残高不足で前記利用者の口座から前記所定支払金額を引落せない旨の情報を受取ると残高不足を示す情報を前記携帯電話機に配信する情報配信部１ｂと、を有する管理サーバ１と、前記携帯電話機３に配信された前記引落し情報をその携帯電話機から受取ると前記所定支払金額分の遊技媒体を前記利用者に貸出す遊技媒体貸機２と、を具えてなる、遊技装置用遊技媒体貸出システムである。【選択図】図１
2007090036.tif 000002
【特許請求の範囲】
【請求項１】
あらかじめ登録した利用者の携帯電話機から所定支払金額の口座支払申込みを示す情報を受取ると所定の与信機関に前記利用者の与信を依頼する通信を行う与信依頼部と、前記所定の与信機関から与信を受けた所定の金融機関から前記利用者の口座から前記所定支払金額を引落とす旨の情報を受取ると所定の引落し情報を前記携帯電話機に配信し、前記金融機関から残高不足で前記利用者の口座から前記所定支払金額を引落せない旨の情報を受取ると残高不足を示す情報を前記携帯電話機に配信する情報配信部と、を有する管理サーバと、
前記携帯電話機に配信された前記引落し情報をその携帯電話機から受取ると前記所定支払金額分の遊技媒体を前記利用者に貸出す遊技媒体貸機と、
を具えてなる、遊技装置用遊技媒体貸出システム。
【請求項２】
前記管理サーバは、前記引落し情報を二次元バーコードとして配信し、
前記遊技媒体貸機は、前記携帯電話機の画面上に表示された前記二次元バーコードを読取ることで前記引落し情報を前記携帯電話機から受取ることを特徴とする、請求項１記載の遊技装置用遊技媒体貸出システム。
【請求項３】
前記管理サーバの前記通信部は、前記利用者の携帯電話機から所定借入金額の借入申込みを示す情報を受取ると前記与信機関に前記所定の金融機関の前記利用者の口座への前記所定借入金額の振込を依頼する通信を行い、
前記管理サーバの前記情報配信部は、前記所定の与信機関から振込を受けた前記金融機関から前記利用者の口座から前記所定支払金額を引落す旨の情報を受取ると所定の引落し情報を前記携帯電話機に配信することを特徴とする、請求項１または２記載の遊技装置用遊技媒体貸出システム。
【請求項４】
前記遊技装置用遊技媒体貸出システムは、前記遊技媒体貸機と通信可能な認証サーバを具えており、
前記遊技媒体貸機は、前記所定支払金額分の遊技媒体を前記利用者に貸出す際に先ず前記引落し情報を含む貸出確認情報を前記認証サーバに送り、前記認証サーバから貸出可能であることを示す貸出可否情報を受取ると前記所定支払金額分の遊技媒体を前記利用者に貸出し、
前記認証サーバは、前記貸出確認情報の受信記録に基づき、前記遊技媒体貸機から前記引落し情報に対応する前記貸出確認情報を受取ったのが一回目の場合のみ前記遊技媒体貸機に前記貸出可能であることを示す貸出可否情報を送ることを特徴とする、請求項１から３までの何れか記載の遊技装置用遊技媒体貸出システム。
【請求項５】
前記認証サーバは、前記管理サーバとも通信可能であって、前記遊技媒体貸機から前記貸出確認情報を受取るとその貸出確認情報を前記管理サーバに送ってその管理サーバに前記貸出確認情報の受信記録を持たせ、
前記管理サーバは、前記受信記録に基づき、前記引落し情報に対応する前記貸出確認情報を受取ったのが一回目の場合のみ前記認証サーバに前記貸出可能であることを示す貸出可否情報を送ることを特徴とする、請求項４記載の遊技装置用遊技媒体貸出システム。
【発明の詳細な説明】
【技術分野】
【０００１】
この発明は、パチンコ台やスロットマシンの如き遊技装置用に、パチンコ玉や貸コイン等の遊技媒体を貸し出すシステムに関し、特には、手持ちの資金が不足した利用者が遊技ホールを出なくても金融機関の預金を用いて追加遊技をすることができる遊技媒体貸システムに関するものである。
【背景技術】
【０００２】
従来の遊技装置用遊技媒体貸出システムは、玉貸機やコイン貸機等の遊技媒体貸機に利用者が現金を投入するとパチンコ玉や貸コイン等の遊技媒体を貸し出すものであるため、現金が尽きると一旦遊戯ホールを出て金融機関の口座から現金を引き出してこなければ追加遊技をすることができず、利用者にとって不便であった。
【０００３】
そこで近年、デビットカードによる即時決済を用いて玉貸機やコイン貸機等からパチンコ玉や貸コイン等の遊技媒体を貸し出すことが、例えば非特許文献１にて提案されている。
【非特許文献１】http://www.p-bomb.co.jp/yogo/itiran/te.htm中「デビットカード」参照
【発明の開示】
【発明が解決しようとする課題】
【０００４】
しかしながらデビットカードを用いたシステムは、金融機関の当該システムの利用者の口座に残高がある限り支払金額を引落として遊技媒体を貸し出すことから、利用者の経済状態を健全でない状態にしてしまう可能性があり、その一方、金融機関も利用者の債務超過等で不利益を被る可能性があるという問題がある。
【課題を解決するための手段】
【０００５】
この発明は、上記課題を有利に解決することを目的とするものであり、この発明の遊技装置用遊技媒体貸出システムは、あらかじめ登録した利用者の携帯電話機から所定支払金額の口座支払申込みを示す情報を受取ると所定の与信機関に前記利用者の与信を依頼する通信を行う与信依頼部と、前記所定の与信機関から与信を受けた所定の金融機関から前記利用者の口座から前記所定支払金額を引落とす旨の情報を受取ると所定の引落し情報を前記携帯電話機に配信し、前記金融機関から残高不足で前記利用者の口座から前記所定支払金額を引落せない旨の情報を受取ると残高不足を示す情報を前記携帯電話機に配信する情報配信部と、を有する管理サーバと、前記携帯電話機に配信された前記引落し情報をその携帯電話機から受取ると前記所定支払金額分の遊技媒体を前記利用者に貸出す遊技媒体貸機と、を具えてなるものである。
【発明の効果】
【０００６】
かかる遊技装置用遊技媒体貸出システムにあっては、前記管理サーバの与信依頼部が、あらかじめ登録した利用者の携帯電話機（通常の携帯電話機の他、ＰＨＳ電話機も含む）から口座支払申込みを示す情報を受取ると、所定の与信機関に前記利用者の与信を依頼する通信を行い、前記所定の与信機関が前記利用者の信用を確認して前記利用者の口座がある所定の金融機関に与信を与えると、その与信を受けた前記所定の金融機関が、残高が足りるので前記利用者の口座から前記所定支払金額を引落とす旨の情報または残高不足で前記利用者の口座から前記所定支払金額を引落せない旨の情報を前記管理サーバの情報配信部に送信するとともに、前記所定支払金額を引落とす場合はその金額を遊技ホールに支払う。この金融機関からの情報を取ると前記情報配信部は、前記利用者の口座から前記所定支払金額を引落とす旨の情報を受取った場合には所定の引落し情報を前記携帯電話機に配信し、前記所定支払金額を引き落せない旨の情報を受取った場合には残高不足を示す情報を前記携帯電話機に配信する。
【０００７】
そして遊技ホール内の前記遊技媒体貸機は、前記携帯電話機に配信された前記引落し情報をその携帯電話機から受取ると、前記所定支払金額分の遊技媒体を前記利用者に貸し出す。
【０００８】
従って、この発明の遊技装置用遊技媒体貸出システムによれば、手持ちの資金が不足した利用者が遊技ホールを出なくても金融機関の口座残高を用いて追加遊技をすることができ、しかも所定の与信機関が利用者の信用を確認してその利用者の口座がある所定の金融機関に与信を与えると初めて、遊技媒体貸機が所定支払金額分の遊技媒体をその利用者に貸し出すので、利用者は自身の経済状態を容易に健全な状態に保つことができ、その一方金融機関も利用者の債務超過等で不利益を被ることを回避でき、そして、遊技ホールは金融機関から遊技媒体の貸出料を確実に回収し得るとともに、経済状態の健全な利用者を囲い込むことができる。
【０００９】
なお、この発明の遊技装置用遊技媒体貸出システムにおいては、前記管理サーバは、前記引落し情報を二次元バーコードとして配信し、前記遊技媒体貸機は、前記携帯電話機の画面上に表示された前記二次元バーコードを読取ることで前記引落し情報を前記携帯電話機から受取るものとしても良く、このようにすれば、利用者は容易に携帯電話機から遊技媒体貸機に引落し情報を与えることができる。
【００１０】
また、この発明の遊技装置用遊技媒体貸出システムにおいては、前記管理サーバの前記通信部は、前記利用者の携帯電話機から所定借入金額の借入申込みを示す情報を受取ると前記与信機関に前記所定の金融機関の前記利用者の口座への前記所定借入金額の振込を依頼する通信を行うものとし、前記管理サーバの前記情報配信部は、前記所定の与信機関から振込を受けた前記金融機関から前記利用者の口座から前記所定支払金額を引落とす旨の情報を受取ると所定の引落し情報を前記携帯電話機に配信するものとしても良く、このようにすれば、手持ちの資金が不足した利用者が遊技ホールを出なくても、経済状態が健全な範囲で与信機関から資金を借りつつ追加遊技をすることができる。
【００１１】
さらに、この発明の遊技装置用遊技媒体貸出システムにおいては、前記遊技装置用遊技媒体貸出システムは、前記遊技媒体貸機と通信可能な認証サーバを具えており、前記遊技媒体貸機は、前記所定支払金額分の遊技媒体を前記利用者に貸出す際に先ず前記引落し情報を含む貸出確認情報を前記認証サーバに送り、前記認証サーバから貸出可能であることを示す貸出可否情報を受取ると前記所定支払金額分の遊技媒体を前記利用者に貸出し、前記認証サーバは、前記貸出確認情報の受信記録に基づき、前記遊技媒体貸機から前記引落し情報に対応する前記貸出確認情報を受取ったのが一回目の場合のみ前記遊技媒体貸機に前記貸出可能であることを示す貸出可否情報を送るものとしても良く、このようにすれば、容易に、遊技媒体貸機が一回の引落し情報により所定支払金額分の遊技媒体を一回のみ利用者に貸出すようにすることができる。
【００１２】
そして、前記貸出確認情報の受信記録は前記認証サーバが持っても良いが、この発明の遊技装置用遊技媒体貸出システムにおいては、前記認証サーバは、前記管理サーバとも通信可能であって、前記遊技媒体貸機から前記貸出確認情報を受取るとその貸出確認情報を前記管理サーバに送ってその管理サーバに前記貸出確認情報の受信記録を持たせ、前記管理サーバは、その受信記録に基づき、前記引落し情報に対応する前記貸出確認情報を受取ったのが一回目の場合のみ前記認証サーバに前記貸出可能であることを示す貸出可否情報を送るものとしても良く、このようにすれば、認証サーバに過度の負担をかけずに、遊技媒体貸機が一回の引落し情報により所定支払金額分の遊技媒体を一回のみ利用者に貸出すようにすることができる。
【発明を実施するための最良の形態】
【００１３】
以下、本発明の実施の形態を実施例によって、図面に基づき詳細に説明する。ここに、図１は、この発明の遊技装置用遊技媒体貸出システムの一実施例の構成を示すとともにその実施例の遊技装置用遊技媒体貸出システムの作動状態を示す説明図、また図２は、上記実施例の遊技装置用遊技媒体貸出システムのさらなる作動状態を示す説明図である。
【００１４】
この実施例の遊技装置用遊技媒体貸出システムは、図１に示すように、市販の携帯電話機に対するメール通信が可能で、かつインターネットを介する所定ホームページ（ウェブサイト）のデータの配信が可能な、通常のサーバにて構成された管理サーバ１と、この実施例のシステムを管理・運営する企業が設けたサービスネットワークに加盟したパチンコホールＨ内に設置された、２次元バーコード読取機能付きの貸玉機２とを具えており、その管理サーバ１は、通常のコンピュータを有していて、あらかじめ与えられたプログラムに基づくそのコンピュータの作動により、機能的には、与信依頼部１ａと、情報配信部１ｂとを有している。
【００１５】
そして上記管理サーバ１の配信する所定ホームページは、当該システムの利用者として上記管理サーバ１に登録されたウェブサイト会員Ｍが携帯する市販の通常の携帯電話機３で閲覧することができ、そのホームページには、種々の遊技装置の情報が掲載される他、加盟パチンコホールの一覧と支払い申込のためのボタンと借入申込のためのボタンとが表示されている。
【００１６】
さらに、この実施例の遊技装置用遊技媒体貸出システムは、図１に示すように、例えば上記パチンコホールＨ内に設置され、貸玉機２とＬＡＮ（ローカルエリアネットワーク）を介して通信可能に接続されるとともに、例えばインターネットを介して上記管理サーバ１とも通信可能とされた、通常のサーバにて構成された認証サーバ４を具えている。
【００１７】
しかして、パチンコホールＨでの遊技中に手持ちの資金が不足した会員ＭがパチンコホールＨ内で携帯電話機３により上記ホームページを閲覧し、図１に示すように、その携帯電話機３で現在遊戯中の加盟パチンコホールＨを選択するとともに上記支払申込のためのボタンを押す操作をして、ステップＳ１にてその携帯電話機３が、上記会員Ｍが現在遊戯中の加盟パチンコホールＨを示す情報と、例えば１０００円等の所定支払金額の口座支払申込みを示す情報とを管理サーバ１の与信依頼部１ａに送ると、ステップＳ２にて与信依頼部１ａは、例えば消費者金融会社等の所定の与信機関のサーバに、その会員Ｍの個人識別情報と現在遊戯中の加盟パチンコホールＨを示すホール識別情報とを示してその会員Ｍの与信を依頼する通信を行い、ステップＳ３にてその与信機関のサーバが既知の所定のプログラムに基づき、そのサーバ内の信用調査データベースを用いて上記会員Ｍにつき債務状況が健全か否かを調べて、その会員Ｍについての与信を与えるか否かの決済を行う。
【００１８】
この決済で上記会員Ｍについて与信を与えることとなると、ステップＳ４にて上記与信機関のサーバは、上記会員Ｍが口座を持っている銀行等の所定金融機関のサーバに対して例えばインターネットを介してその会員Ｍについて与信を与えることを伝え、これによりその所定金融機関のサーバは、上記会員Ｍの口座から上記所定支払金額を引落として、ステップＳ５で、その金額を上記現在遊戯中の加盟パチンコホールＨに支払う手続を行うとともに、ステップＳ６で、上記所定支払金額を引落としたことを示す口座引落し情報を例えばインターネットを介して上記管理サーバ１の情報配信部１ｂに伝える。
【００１９】
この口座引落し情報を受信すると、上記管理サーバ１の情報配信部１ｂは、上記所定支払金額に対応する遊技媒体貸出コードを、この実施例では２次元バーコードに変換して、ステップＳ７にてその２次元バーコードを示す情報を上記会員Ｍの携帯電話機３に電子メールで配信し、図示のようにその会員Ｍの携帯電話機３の画面にその２次元バーコードを表示させる。なお、上記管理サーバ１の情報配信部１ｂは、ここでは図示しないが、上記金融機関から残高不足で上記会員Ｍの口座から上記所定支払金額を引落せない旨の情報を受取ると、残高不足を示す情報を会員Ｍの携帯電話機３に配信する。また、上記与信機関から上記会員Ｍについて債務状況が健全でないため与信を与えることができない旨の情報を受取ると、与信不可を示す情報を会員Ｍの携帯電話機３に配信する。
【００２０】
しかして携帯電話機３の画面上の上記２次元バーコードを、ステップＳ８にて上記会員Ｍが、上記加盟パチンコホールＨ内の２次元バーコード読取機能付きの貸玉機２に光学的に読取らせると、その２次元バーコード読取機能付きの貸玉機２は、上記所定支払金額分の遊技媒体を会員Ｍに貸出すが、その際に先ずステップＳ９で、上記遊技媒体貸出コードを含む貸出確認情報としての貸出確認コードを認証サーバ４に送り、認証サーバ４は、ステップＳ１０で、その貸出確認コードを管理サーバ１の情報配信部１ａに送って、その情報配信部１ａに貸出確認コードの受信記録を持たせ、管理サーバ１の情報配信部１ａは、認証サーバ４から貸出確認コードを受信すると上記受信記録を検索して、ステップＳ１１で、会員Ｍの上記遊技媒体貸出コードに対応する貸出確認コードを受取ったのが一回目の場合は認証サーバ４に、貸出可能であることを示す、貸出可否情報としての貸出可否データを送り、会員Ｍの上記遊技媒体貸出コードに対応する貸出確認コードを受取ったのが二回目以降の場合は認証サーバ４に、貸出不能であることを示す、貸出可否情報としての貸出可否データを送る。そして認証サーバ４は、管理サーバ１の情報配信部１ａから貸出可能または貸出不能を示す貸出可否データを受取ると、ステップＳ１２で、その貸出可否データを貸玉機２へ転送し、貸玉機２は、認証サーバ４から貸出可能であることを示す貸出可否データを受取った場合のみ、上記読取った２次元バーコードが示す遊技媒体貸出コードに対応する上記所定支払金額分のパチンコ玉等の遊技媒体を上記会員Ｍに貸出し、これにより会員Ｍはパチンコ台Ｐ等での追加遊技を行うことができる。
【００２１】
また、パチンコホールＨでの遊技中に手持ちの資金が不足した会員ＭがパチンコホールＨ内で携帯電話機３により上記ホームページを閲覧し、図２に示すように、その携帯電話機３で現在遊戯中の加盟パチンコホールＨを選択するとともに上記借入申込のためのボタンを押す操作をして、ステップＳ１３にてその携帯電話機３が、上記会員Ｍが現在遊戯中の加盟パチンコホールＨを示す情報と、例えば１０００円等の所定借入金額の借入申込みを示す情報とを管理サーバ１の与信依頼部１ａに送ると、ステップＳ１４にて与信依頼部１ａは、例えば消費者金融会社等の所定の与信機関のサーバに、その会員Ｍの個人識別情報と現在遊戯中の加盟パチンコホールＨを示すホール識別情報と上記所定借入金額を示す借入金額情報とを示してその会員Ｍによる借入を依頼する通信を行い、ステップＳ１５にてその与信機関のサーバが既知の所定のプログラムに基づき、そのサーバ内の信用調査データベースを用いて上記会員Ｍにつき債務状況が健全か否かを調べて、その会員Ｍについて上記借入を認めるか否かの決済を行う。
【００２２】
この決済で上記会員Ｍについて借入を認めることとなると、ステップＳ１６にて上記与信機関のサーバは、上記会員Ｍが口座を持っている銀行等の所定金融機関のサーバに対して例えばインターネットを介してその会員Ｍの口座に上記所定借入金額の資金を直ちに振込むことを伝え、これによりその所定金融機関のサーバは、上記会員Ｍの口座から上記所定支払金額を引落として、ステップＳ５で、その金額を上記現在遊戯中の加盟パチンコホールＨに支払う手続を行うとともに、ステップＳ６で、上記所定支払金額を引落としたことを示す口座引落し情報を例えばインターネットを介して上記管理サーバ１の情報配信部１ｂに伝える。そしてこれ以降は、図１に示すと同様の手順で、会員Ｍは２次元バーコード読取機能付貸玉機２から遊技媒体を借出してパチンコ台Ｐ等での追加遊技を行うことができる。なお、上記管理サーバ１の情報配信部１ｂは、ここでは図示しないが、上記金融機関から未だ残高不足で上記会員Ｍの口座から上記所定支払金額を引落せない旨の情報を受取ると、残高不足を示す情報を会員Ｍの携帯電話機３に配信する。また、上記与信機関から上記会員Ｍについて債務状況が健全でないため借入を認めることができない旨の情報を受取ると、借入不可を示す情報を会員Ｍの携帯電話機３に配信する。
【００２３】
従って、この実施例の遊技装置用遊技媒体貸出システムによれば、手持ちの資金が不足した会員Ｍが加盟パチンコホールＨを出なくても金融機関の口座残高を用いて追加遊技をすることができ、しかも所定の与信機関が会員Ｍの信用を確認してその会員Ｍの口座がある所定の金融機関に与信を与えると初めて、２次元バーコード読取機能付貸玉機２が所定支払金額分の遊技媒体をその会員Ｍに貸し出すので、会員Ｍは自身の経済状態を容易に健全な状態に保つことができ、その一方金融機関も会員Ｍの債務超過等で不利益を被ることを回避でき、そして、加盟パチンコホールＨは金融機関から遊技媒体の貸出料を確実に回収し得るとともに、経済状態の健全な会員Ｍを囲い込むことができる。
【００２４】
また、この実施例の遊技装置用遊技媒体貸出システムによれば、管理サーバ１は、引落し情報を二次元バーコードとして配信し、玉貸機２は、携帯電話機３の画面上に表示された二次元バーコードを読取ることで上記引落し情報を携帯電話機３から受取るので、会員Ｍは容易に携帯電話機３から玉貸機２に引落し情報を与えることができる。
【００２５】
さらに、この実施例の遊技装置用遊技媒体貸出システムによれば、管理サーバ１の通信部１ａは、会員Ｍの携帯電話機３から所定借入金額の借入申込みを示す情報を受取ると、所定与信機関に所定の金融機関の会員Ｍの口座への上記所定借入金額の振込を依頼する通信を行い、管理サーバ１の情報配信部１ｂは、上記所定の与信機関から現金振込を受けた上記金融機関から、会員Ｍの口座から上記所定支払金額を引き落とす旨の情報を受取ると、所定の引落し情報を会員Ｍの携帯電話機３に配信するので、手持ちの資金が不足した会員Ｍが加盟パチンコホールＨを出なくても、経済状態が健全な範囲で与信機関から資金を借りつつ追加遊技をすることができる。
【００２６】
さらに、この実施例の遊技装置用遊技媒体貸出システムによれば、玉貸機２は、所定支払金額分の遊技媒体を会員Ｍに貸出す際に先ず遊技媒体貸出コードを含む貸出確認コードを認証サーバ４に送り、認証サーバ４から貸出可能であることを示す貸出可否データを受取ると所定支払金額分の遊技媒体を会員Ｍに貸出し、認証サーバ４は、貸出確認コードの受信記録に基づき、玉貸機２から遊技媒体貸出コードに対応する貸出確認コードを受取ったのが一回目の場合のみ玉貸機２に貸出可能であることを示す貸出可否データを送るので、容易に、玉貸機２が一回の遊技媒体貸出コードにより所定支払金額分の遊技媒体を一回のみ会員Ｍに貸出すようにすることができる。
【００２７】
そして、この実施例の遊技装置用遊技媒体貸出システムによれば、認証サーバ４は、管理サーバ１とも通信可能であって、玉貸機２から貸出確認コードを受取るとその貸出確認コードを管理サーバ１に送ってその管理サーバ１に貸出確認コードの受信記録を持たせ、管理サーバ１は、その受信記録に基づき、遊技媒体貸出コードに対応する貸出確認コードを受取ったのが一回目の場合のみ認証サーバ４に貸出可能であることを示す貸出可否データを送るので、認証サーバ４に過度の負担をかけずに、玉貸機２が一回の遊技媒体貸出コードの読取りにより所定支払金額分の遊技媒体を一回のみ会員Ｍに貸出すようにすることができる。
【００２８】
以上、図示例に基づき説明したが、この発明は上述の例に限定されるものでなく、例えば、前記管理サーバは、前記引落し情報を通常のデータとして配信し、前記遊技媒体貸機は、前記携帯電話機から赤外線通信で前記データを受取ることで前記引落し情報を前記携帯電話機から受取ることとしても良い。また、前記認証サーバは、前記遊技媒体貸機が設けられたパチンコホール等の遊技場内でなく、例えば複数の遊技場に共通の場所に設けて、インターネット等で遊技媒体貸機と通信するようにしても良く、この場合に、前記管理サーバを、前記認証サーバと兼用しても良い。
【産業上の利用可能性】
【００２９】
かくしてこの発明の遊技装置用遊技媒体貸出システムによれば、手持ちの資金が不足した利用者が遊技ホールを出なくても金融機関の口座残高を用いて追加遊技をすることができ、しかも所定の与信機関が利用者の信用を確認してその利用者の口座がある所定の金融機関に与信を与えると初めて、遊技媒体貸機が所定支払金額分の遊技媒体をその利用者に貸し出すので、利用者は自身の経済状態を容易に健全な状態に保つことができ、その一方金融機関も利用者の債務超過等で不利益を被ることを回避でき、そして、遊技ホールは金融機関から遊技媒体の貸出料を確実に回収し得るとともに、経済状態の健全な利用者を囲い込むことができる。
【図面の簡単な説明】
【００３０】
【図１】この発明の遊技装置用遊技媒体貸出システムの一実施例の構成を示すとともにその実施例の遊技装置用遊技媒体貸出システムの作動状態を示す説明図である。
【図２】上記実施例の遊技装置用遊技媒体貸出システムのさらなる作動状態を示す説明図である。
【符号の説明】
【００３１】
１  管理サーバ
１ａ  与信依頼部
１ｂ  情報配信部
２  ２次元バーコード読取機能付貸玉機
３  携帯電話機
４  認証サーバ
【図１】
2007090036.tif 000003
【図２】
2007090036.tif 000004